(57)【特許請求の範囲】
【請求項１】
移動局にて、
第１のチャネルにおいて第１のパイロット信号を送信するステップと、
第２のチャネルで送信するデータの伝送速度に応じて第２のチャネルにおいて第２のパイロット信号を送信するステップと、
基地局にて、
前記第１のパイロット信号についての第１の受信品質および前記第２のパイロット信号についての第２の受信品質を測定するステップと、
前記第１のパイロット信号の前記第１の受信品質と前記第２のパイロット信号の前記第２の受信品質に応じて、第２のパイロット信号を用いるか否かを判定するステップと、
前記第２のパイロット信号を用いる場合、前記第１のパイロット信号と前記第２のパイロット信号を用いて、受信する全チャネルの結合信号の受信品質を測定するステップと、
前記第２のパイロット信号を用いない場合、前記第１のパイロット信号のみを用いて、受信する全チャネルの結合信号の受信品質を測定するステップと、
前記受信品質の測定結果に基づいて送信電力制御信号を生成するステップと、
前記移動局にて、
前記基地局にて生成された前記送信電力制御信号に応じて前記第１および前記第２のチャネルの送信電力を決定するステップと、
を有し、
前記基地局は、前記第２のパイロット信号の第２の受信品質が所定の第１受信品質閾値よりも高い場合に、第１のパイロット信号と第２のパイロット信号を前記受信品質の測定に用い、
前記第１受信品質閾値は、前記第１のパイロット信号の第１の受信品質に基づいて決定される、パイロット信号送信方法。
【請求項２】
前記基地局は、前記第１のパイロット信号の受信品質または前記第２のパイロット信号の受信品質が所定の第２受信品質閾値よりも高く、且つ前記第１のパイロット信号の受信品質に基づいて決定した第３の受信品質閾値よりも前記第２のパイロット信号の受信品質が高い場合に、前記第１のパイロット信号と前記第２のパイロット信号を前記受信品質の測定に用いる、請求項１に記載のパイロット信号送信方法。
【請求項３】
移動局にて、
第１のチャネルにおいて第１のパイロット信号を送信するステップと、
第２のチャネルで所定の伝送速度閾値よりも高い伝送速度でデータブロックを送信する場合は前記第２のチャネルにおいて第２のパイロット信号を送信するステップと、
前記伝送速度閾値よりも高い伝送速度のデータブロック送信後から所定のパイロット信号送信時間が経過するまでは第２のパイロット信号を送信するステップと、
基地局にて、
前記第２のチャネルからデータブロックの伝送速度を示す制御信号を抽出するステップと、
前記データブロックの伝送速度が所定の伝送速度閾値よりも高い場合に、前記伝送速度が伝送速度閾値よりも高いデータブロックを受信した後から前記パイロット信号送信時間が経過するまでは第１および第２のパイロット信号を用いて、受信する全チャネルの結合信号の受信品質を測定するステップと、
前記パイロット信号送信時間以外は第１のパイロット信号のみを用いて、受信する全チャネルの結合信号の受信品質を測定するステップと、
前記受信品質の測定結果に応じて前記送信電力制御信号を生成するステップと、
前記移動局にて、
前記基地局にて生成された前記送信電力制御信号に応じて前記第１および前記第２のチャネルの送信電力を決定するステップと、
を有するパイロット信号送信方法。
【請求項４】
基地局にて、
第２のチャネルにおける使用を許可する最大伝送速度に関する情報を通知する最大伝送速度制御信号を送信するステップと、
移動局にて、
第１のチャネルにおいて第１のパイロット信号を送信するステップと、
前記基地局から通知された前記最大伝送速度制御信号に基づいて前記第２のチャネルの最大伝送速度を決定するステップと、
前記第２のチャネルの最大伝送速度が所定の移動局伝送速度閾値よりも高い場合に前記第２のチャネルにおいて第２のパイロット信号を送信するステップと、
前記基地局にて、
前記第２のチャネルにおける使用を許可した前記最大伝送速度が所定の基地局伝送速度閾値よりも高い場合に、前記第１および前記第２のパイロット信号を用いて、受信する全チャネルの結合信号の受信品質を測定するステップと、
前記第２のチャネルの前記最大伝送速度が前記基地局伝送速度閾値よりも低い場合に、前記第１のパイロット信号を用いて、受信する全チャネルの結合信号の受信品質を測定するステップと、
前記受信品質の測定結果に応じて送信電力制御信号を生成するステップと、
前記移動局にて、
前記基地局から通知された前記送信電力制御信号に応じて前記第１および前記第２のチャネルの送信電力を決定するステップと、
を有し、
前記基地局伝送速度閾値が前記移動局伝送速度閾値よりも高く設定される、パイロット信号送信方法。
【請求項５】
前記基地局は前記第２のパイロット信号をチャネル推定に用いる、請求項１に記載のパイロット信号送信方法。
【請求項６】
前記基地局は前記第２のパイロット信号をチャネル推定に用いる、請求項３に記載のパイロット信号送信方法。
【請求項７】
前記基地局は前記第２のパイロット信号をチャネル推定に用いる、請求項４に記載のパイロット信号送信方法。
【請求項８】
送信電力制御信号に応じて第１と第２のチャネルの送信電力を決定し、前記第１のチャネルにおいて第１のパイロット信号を送信し、前記第２のチャネルで送信するデータの伝送速度に応じて前記第２のチャネルにおいて第２のパイロット信号を送信する移動局と、
前記第１のパイロット信号についての第１の受信品質および前記第２のパイロット信号についての第２の受信品質を測定し、前記第１のパイロット信号の第１の受信品質と前記第２のパイロット信号の第２の受信品質に応じて、第２のパイロット信号を使用するか否かを判定し、前記第２のパイロット信号を用いる場合、前記第１のパイロット信号と前記第２のパイロット信号を用いて、受信する全チャネルの結合信号の受信品質を測定し、前記第２のパイロット信号を用いない場合に、前記第１のパイロット信号のみで、受信する全チャネルの結合信号の受信品質を測定し、前記受信品質の測定結果に基づいて前記送信電力制御信号を生成する基地局と、
を有し、
前記基地局は、前記第２のパイロット信号の第２の受信品質が所定の第１受信品質閾値よりも高い場合に、第１のパイロット信号と第２のパイロット信号を前記受信品質の測定に用い、
前記第１受信品質閾値は、前記第１のパイロット信号の第１の受信品質に基づいて決定される、無線通信システム。
【請求項９】
送信電力制御信号に応じて第１および第２のチャネルの送信電力を決定し、前記第１のチャネルにおいて第１のパイロット信号を送信し、前記第２のチャネルで所定の伝送速度閾値よりも高い伝送速度でデータブロックを送信する場合に前記第２のチャネルにおいて第２のパイロット信号を送信し、前記伝送速度閾値よりも高い伝送速度のデータブロックを送信してから所定のパイロット信号送信時間が経過するまで前記第２のパイロット信号を送信する移動局と、
前記第２のチャネルからデータブロックの伝送速度を示す制御信号を抽出し、前記データブロックの伝送速度が所定の伝送速度閾値よりも高い場合に、前記伝送速度が伝送速度閾値よりも高いデータブロックを受信してから前記パイロット信号送信時間が経過するまで第１および第２のパイロット信号を用いて、受信する全チャネルの結合信号の受信品質を測定し、前記パイロット信号送信時間以外は第１のパイロット信号を用いて、受信する全チャネルの結合信号の受信品質を測定し、前記受信品質の測定結果に応じて前記送信電力制御信号を生成する基地局と、
を有する無線通信システム。
【請求項１０】
送信電力制御信号に応じて第１および第２のチャネルの送信電力を決定し、前記第１のチャネルにおいて第１のパイロット信号を送信し、通知された前記第２のチャネルの最大伝送速度が所定の移動局伝送速度閾値よりも高い場合に、前記第２のチャネルにおいて第２のパイロット信号を送信する移動局と、
前記第２のチャネルの最大伝送速度を前記移動局に通知し、前記第２のチャネルの最大伝送速度が所定の基地局伝送速度閾値よりも高い場合に、前記第１および前記第２のパイロット信号を用いて、受信する全チャネルの結合信号の受信品質を測定し、前記第２のチャネルの最大伝送速度が前記基地局伝送速度閾値よりも低い場合に、前記第１のパイロット信号を用いて、受信する全チャネルの結合信号の受信品質を測定し、前記受信品質の測定結果に応じて前記送信電力制御信号を生成する基地局を有し、
前記基地局伝送速度閾値が前記移動局伝送速度閾値よりも高く設定される、無線通信システム。
【請求項１１】
第１のパイロット信号についての第１の受信品質および第２のパイロット信号についての第２の受信品質を測定し、前記第１のパイロット信号の前記第１の受信品質と前記第２のパイロット信号の前記第２の受信品質に応じて、第２のパイロット信号を使用するか否かを判定し、前記第２のパイロット信号を用いる場合に、前記第１のパイロット信号および前記第２のパイロット信号を用いて、受信する全チャネルの結合信号の受信品質を測定し、前記第２のパイロット信号を用いない場合に、前記第１のパイロット信号のみで、受信する全チャネルの結合信号の受信品質を測定し、前記受信品質の測定結果に基づいて送信電力制御信号を生成し、前記第２のパイロット信号の第２の受信品質が所定の第１受信品質閾値よりも高い場合に、第１のパイロット信号と第２のパイロット信号を前記受信品質の測定に用い、前記第１受信品質閾値は、前記第１のパイロット信号の第１の受信品質に基づいて決定される基地局を備えた無線通信システムにおける移動局であって、
前記基地局から送信された前記送信電力制御信号に応じて前記第１および前記第２のチャネルの送信電力を決定する送信電力制御部と、
前記第１のチャネルにおいて第１のパイロット信号を送信する第１のフレーム生成部と、
前記第２のチャネルで送信するデータの伝送速度に応じて前記第２のチャネルにおいて前記第２のパイロット信号を送信する第２のフレーム生成部と、
を有する移動局。
【請求項１２】
第１のパイロット信号についての第１の受信品質および第２のパイロット信号についての第２の受信品質を測定し、前記第１のパイロット信号の前記第１の受信品質と前記第２のパイロット信号の前記第２の受信品質に応じて、前記第２のパイロット信号を用いるか否かを判定するパイロット検知部と、
前記第２のパイロット信号を用いる場合、前記第１のパイロット信号と前記第２のパイロット信号を用いて、受信する全チャネルの結合信号の受信品質を測定し、前記第２のパイロット信号を用いない場合、前記第１のパイロット信号のみで、受信する全チャネルの結合信号の受信品質を測定する受信品質測定部と、
前記受信品質の測定結果に基づいて送信電力制御信号を生成する送信電力制御信号生成部と、
を有し、
前記受信品質測定部は、前記第２のパイロット信号の第２の受信品質が所定の第１受信品質閾値よりも高い場合に、第１のパイロット信号と第２のパイロット信号を前記受信品質の測定に用い、
前記第１受信品質閾値は、前記第１のパイロット信号の第１の受信品質に基づいて決定される、基地局。
【請求項１３】
第２のチャネルからデータブロックの伝送速度を示す制御信号を抽出する制御信号検知部と、
前記データブロックの伝送速度が所定の伝送速度閾値よりも高い場合に、前記伝送速度が伝送速度閾値よりも高いデータブロックを受信してから所定のパイロット信号送信時間が経過するまで第１および第２のパイロット信号を用いて、受信する全チャネルの結合信号の受信品質を測定し、前記パイロット信号送信時間以外は前記第１のパイロット信号を用いて、受信する全チャネルの結合信号の受信品質を測定する受信品質測定部と、
前記受信品質の測定結果に応じて送信電力制御信号を生成する送信電力制御信号生成部と、
を有する基地局。
【請求項１４】
送信電力制御信号に応じて第１および第２のチャネルの送信電力を決定し、前記第１のチャネルにおいて第１のパイロット信号を送信し、通知された前記第２のチャネルの最大伝送速度が所定の移動局伝送速度閾値よりも高い場合に、前記第２のチャネルにおいて第２のパイロット信号を送信する移動局と接続される基地局であって、
前記第２のチャネルの最大伝送速度を移動局に通知する送信制御部と、
前記移動局に通知した前記第２のチャネルの最大伝送速度が所定の基地局伝送速度閾値よりも高い場合に、第１および第２のパイロット信号を用いて、受信する全チャネルの結合信号の受信品質を測定し、前記第２のチャネルの最大伝送速度が前記基地局伝送速度閾値よりも低い場合に、前記第１のパイロット信号を用いて、受信する全チャネルの結合信号の受信品質を測定する受信品質測定部と、
前記受信品質の測定結果に応じて送信電力制御信号を生成する送信電力制御信号生成部と、
を有し、
前記基地局伝送速度閾値が前記移動局伝送速度閾値よりも高く設定される、基地局。
【発明の詳細な説明】
【技術分野】
【０００１】
本発明は、高速パケット伝送を行う無線通信システムにおけるパイロット信号送信方法に関する。
【背景技術】
【０００２】
無線通信システムでは、移動局の移動に伴ってレイリーフェージングが発生する。このレイリーフェージングにより通信チャネルの振幅変動および位相変動が生じる。そのため、ＷＣＤＭＡなどの無線通信システムでは、送信側は、受信側にて既知の信号系列（パイロット信号）を送信する。受信側は、パイロット信号の受信点と既知の送信点との差から伝搬路の位相変動および振幅変動を推定する（チャネル推定）。そして、受信側は、このチャネル推定に基づいて、制御信号やデータ信号を含む情報信号の位相および振幅の変動を補正（チャネル除去）する。【０００３】
図１は、ＱＰＳＫ変調を用いた通信において、推定したチャネルを用いて、受信した情報信号からチャネルの影響を除去する様子を示している。ＱＰＳＫのような位相変調方式では、チャネルの影響による位相変動θを求めて受信点（Ｒ）をθだけ戻すことにより、チャネルの影響を除去した受信点（Ｒ’）が求められる。一般に、ＷＣＤＭＡシステムでは、伝送速度が高いほど高いチャネル推定精度が要求される。ＷＣＤＭＡでは、信号の拡散により干渉成分が低減される。しかし、高速伝送の場合には拡散率が低く設定されるため、干渉成分の低減される率も低くなる。【０００４】
図２Ａは、干渉成分が高い場合（高速伝送）におけるチャネル除去の様子を示している。図２Ｂは、干渉成分が低い場合（低速伝送）におけるチャネル除去の様子を示している。干渉成分が高くなると信号点の分散が大きくなり、受信点の分布を図示する円が広がる。推定精度の低いチャネル推定値θＥｒｒｏｒを用いてチャネル除去を行った場合、干渉成分が高いほど、図中にて黒い部分で示された受信誤りを生じる領域が大きくなる。従って、拡散による干渉成分の低減率が低い高速伝送ほど、精度の高いチャネル推定値が要求される。【０００５】
また、ＷＣＤＭＡシステムなどの直接拡散符号分割多重接続（ＤＳ−ＣＤＭＡ）を用いたセルラシステムでは、複数のチャネルにて同じ周波数帯が使用される。そのため、他のチャネルの電波は干渉となる。干渉が増加すると希望波の受信品質が劣化し、回線の切断などが生じる。従って、所望の受信品質を保って通信を行える回線数、すなわち回線容量は、干渉の量に依存する。上り回線においては、基地局から遠い移動局の送信する信号は、基地局に近い移動局の送信する信号より電力の減衰が大きい。そのため、それらの移動局が同じ電力で信号を送信すると、遠くの移動局からの希望波の受信電力より近くの移動局からの干渉波の受信電力の方が大きくなり、遠くの移動局の通信が困難になるという遠近問題が生じる。【０００６】
従って、上り回線においては、各移動局からの信号が基地局にて同等な受信電力となるように各移動局の送信電力を制御する送信電力制御が必須技術である。基地局は、受信品質（受信電力対干渉電力：ＳＩＲ）を所要品質（目標ＳＩＲ）に保つことのできる必要最低限の送信電力となるように移動局の送信を制御する。各移動局についての送信電力制御は閉ループ型の制御である。基地局は、測定したＳＩＲを所定の目標ＳＩＲと比較し、目標ＳＩＲよりも高ければ、送信電力を下げることを指示する送信電力制御（Ｔｒａｎｓｍｉｔ  Ｐｏｗｅｒ  Ｃｏｎｔｒｏｌ：ＴＰＣ）信号を移動局に送信する。また、測定したＳＩＲが目標ＳＩＲより低ければ、基地局は、送信電力を上げることを指示するＴＰＣ信号を移動局に送信する。このような閉ループ型の制御がスロット毎に行われることにより送信電力は高速な伝搬路変動に追従する。【０００７】
また、ＷＣＤＭＡの上り回線チャネルには、回線交換による通信を行う個別チャネルと、高速パケット伝送のためのＥＵＤＣＨとが設けられている（３ＧＰＰＴＲ２５．８９６  ｖ６．０．０（２００４−０３）３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｅａｓｉｂｉｌｉｔｙ  Ｓｔｕｄｙ  ｆｏｒ  Ｅｎｈａｎｃｅｄ  Ｕｐｌｉｎｋ  ｆｏｒ  ＵＴＲＡ  ＦＤＤ  （Ｒｅｌｅａｓｅ  ６）参照）。個別チャネルは、データを送信するＤＰＤＣＨ（Ｄｅｄｉｃａｔｅｄ  Ｐｈｙｓｉｃａｌ  Ｄａｔａ  Ｃｈａｎｎｅｌ）と、制御信号を送信するＤＰＣＣＨ（Ｄｅｄｉｃａｔｅｄ  Ｐｈｙｓｉｃａｌ  Ｃｏｎｔｒｏｌ  Ｃｈａｎｎｅｌ）から成る。また、同様に、ＥＵＤＣＨは、データを送信するＥ−ＤＰＤＣＨと、制御信号を送信するＥ−ＤＰＣＣＨから成る。各チャネルの１フレームは１５スロットから成る。各チャネルにより、データブロックが所定の送信間隔（ＴＴＩ：Ｔｒａｎｓｍｉｓｓｉｏｎ  Ｔｉｍｅ  Ｉｎｔｅｒｖａｌ）毎に送信される。個別チャネルのＴＴＩについては、１、２、４、８フレームのうちのいずれかが使用される。ＥＵＤＣＨのＴＴＩは未定であるが、１フレームよりも短い１／５フレーム（１サブフレーム）、あるいは１フレームのいずれかが使用される予定である。【０００８】
図３は、個別チャネルのフレーム構成を示している。ＤＰＣＣＨにはパイロット信号とＴＦＣＩとＦＢＩとＴＰＣビットが含まれる。パイロット信号は、上述したチャネル推定やＳＩＲ測定に用いられる。ＴＦＣＩは、各ＴＴＩにおけるＤＰＣＣＨの送信形式（データブロックサイズ、ブロック数）を通知する３０ビットの制御信号であり、１スロット当たり２ビットずつに分割して送信される。従って、基地局は、１フレーム全てを受信した後、各スロットに分割されていたＴＦＣＩを収集して復号した後に、それを用いてＤＰＤＣＨの復号を行う。【０００９】
また、ＦＢＩビットは、下り回線における他の機能に必要なフィードバック信号を送るためのフィールドである。ＴＰＣは、上述した高速閉ループ型の送信電力制御信号を送るためのフィールドである。ＷＣＤＭＡでは、個別チャネルの上りと下りが対となり、互いの送信電力制御信号の転送に用いられる。また、ＥＵＤＣＨチャネルは、個別チャネルにオフセット電力を加えた電力で送信される。ＥＵＤＣＨのフレーム構成は３ＧＰＰにて未定であるが、Ｅ−ＤＰＣＣＨによって送られる信号としてはＥＵＤＣＨのＴＦＣＩ（Ｅ−ＴＦＣＩ）がある。これは、個別チャネルと同様に、このＴＴＩにおけるＥ−ＤＰＤＣＨの送信形式を通知するものである。【００１０】
また、チャネル推定のためにパイロット信号が必要であるが、個別チャネルのパイロット信号をチャネル推定に使用することもできる。また、基地局は、基地局におけるノイズライズ（受信電力対雑音比）が所定の目標値以下となるようにスケジューリングを行い、移動局に割当てる無線リソースをＥＵＤＣＨで通知する。スケジューリングには大きく分けて２つの方法が検討されている。一方は時間・伝送速度スケジューリングと呼ばれ、他方は伝送速度スケジューリングと呼ばれる。【００１１】
時間・伝送速度スケジューリングでは、基地局がＥＵＤＣＨを設定している各移動局に対して、スケジューリング情報により送信時間と最大伝送速度を指定する。移動局は、指定された送信時間内に、指定された最大伝送速度以下でデータブロックを送信する。【００１２】
一方、伝送速度スケジューリングでは、基地局はスケジューリング情報により最大伝送速度のみを指定する。移動局は、最大伝送速度以下の伝送速度であれば、任意のタイミングでデータブロックを送信してよい。これらのスケジューリング情報は、ＴＴＩ毎に送信することができる。【００１３】
以上のように、ＥＵＤＣＨでは高速パケット伝送が行われ、その伝送速度はＴＴＩ単位で変更することができる。上述したように、チャネル推定に要求される精度は、伝送速度が高いほど高くなる。【００１４】
また、伝送速度が高ければ、ＳＩＲ測定に要求される精度も高くなる。なぜなら、ＳＩＲは高速閉ループ型送信電力制御に使用されるため、ＳＩＲ測定の精度が低いと電力制御の精度が劣化し、パイロット信号の受信品質が劣化してチャネル推定精度も劣化するからである。そのため、伝送速度が高ければ、より高い精度のＳＩＲ測定が要求される。【００１５】
一般に、チャネル推定精度やＳＩＲ測定精度は、データ信号に対するパイロット信号の電力を増加させるか、または各スロット内のパイロットビット数を増加させることにより、向上させることができる。しかし、これらは制御信号のオーバヘッドを増加させ、他の移動局に対する干渉を増加させることになるため、これらを常に行うのは好ましくない。従って、ＥＵＤＣＨでは、チャネル推定精度およびＳＩＲ測定精度を向上させるのを、高速伝送を行うフレームのみにする必要がある。【００１６】
この解決策が“［Ｅ］−ＳＰＩＣＨ  Ｍｕｌｔｉｐｌｅｘｉｎｇ  Ｏｐｔｉｏｎｓ”，ＱＵＡＬＣＯＭＭ，３ＧＰＰ  ＲＡＮ  ＷＧ１  第３３回会合，Ｒ１−０３０６７３にて提案されている。それによれば、移動局が高速伝送を行うフレームにおいて、Ｅ−ＤＰＣＣＨにより第２のパイロット信号を送信することが提案されている。この方法では、所定の伝送速度閾値を定めておき、移動局は、伝送速度が閾値以上であればＥ−ＤＰＣＣＨにて第２パイロット信号を送信する。基地局はＥ−ＴＦＣＩを復号し、伝送速度が閾値以上であれば、移動局が第２パイロット信号を送信しているもの判断する。そして、その場合、基地局は、ＤＰＣＣＨのパイロット信号（第１パイロット信号）と共に第２のパイロット信号もチャネル推定に用いる。伝送速度が閾値以下であれば、移動局は第２パイロット信号を送信しないので、高精度なチャネル推定が必要でないときの他移動局への干渉が低減される。
【発明の開示】
【００１７】
しかしながら、この解決策では、第２パイロット信号を送信電力制御のＳＩＲ測定に使用できない場合がある。上述したように、ＤＰＣＣＨ内のＴＦＣＩは、誤り訂正率を高めるために、１フレーム内の全スロットに分けて送信される。同様に、Ｅ−ＴＦＣＩも１ＴＴＩ内の全スロットまたは複数スロットに分けて送信される場合、基地局は、Ｅ−ＴＦＣＩを全て受信し終えてＥ−ＴＦＣＩを復号するまで、第２パイロット信号が送信されたか否かを判断できない。先に述べたように、高速閉ループ型の送信電力制御はスロット単位の制御であり、パイロット信号を受信してから１〜２スロット後にはＴＰＣ信号を送信しなければならない。それに間に合わなければ、移動局が第２パイロット信号を送信しても、基地局は第２のパイロット信号をＳＩＲ測定に用いることはできない。これに対して、基地局は、常に第２パイロットが送信されたものと想定して第２パイロット信号を使用してＳＩＲ測定を行うこととしてもよい。しかし、その場合、第２パイロットが送信されていないときにはＳＩＲ測定に雑音が加わることになるので、ＳＩＲ測定精度が著しく劣化する。上述したように、ＳＩＲ測定精度が劣化すると送信電力制御精度が劣化するため、目標受信品質を達成できず、チャネル推定精度が劣化してしまう。その結果、ブロック誤りが増加しスループットが低減してしまうという問題がある。
【００１８】
本発明は、上述したような問題点を解決するようなパイロット信号送信方法、無線通信システム、基地局ならびに移動局を提供する。具体的には、本発明は、ＥＵＤＣＨを用いて高速パケット伝送を行うようなシステムにおいて、高速伝送時に送信電力制御のためのＳＩＲ測定精度を高めることによりブロック誤り率を低減し、スループットを向上させるパイロット信号送信方法、無線通信システム、基地局ならびに移動局を提供する。
【００１９】
前述の課題を解決するため、本発明によるパイロット信号送信方法、無線通信システム、基地局ならびに移動局は、次のような特徴的な構成を採用している。
【００２０】
移動局は、第１のチャネルにおいて第１のパイロット信号を送信し、第２のチャネルで送信するデータの伝送速度に応じて、第２のチャネルにおいて第２のパイロット信号を送信する。
【００２１】
基地局は、第１のパイロット信号と第２のパイロット信号の受信品質に応じて、第２のパイロット信号を用いるか否かを判定する。
【００２２】
第２のパイロット信号を用いる場合、基地局は、第１のパイロット信号と第２のパイロット信号を用いて受信品質測定を行う。また、第２のパイロット信号を用いない場合、基地局は、第１のパイロット信号のみで受信品質測定を行う。
【００２３】
そして、基地局は、得られた受信品質測定に基づいて、送信電力制御信号を生成する。移動局は、基地局が送信する送信電力制御信号に応じて第１と第２のチャネルの送信電力を決定する。
【図面の簡単な説明】
【００２４】
【図１】チャネル推定結果の使用方法について説明するための図である。
【図２Ａ】干渉成分が高い場合（高速伝送）におけるチャネル除去の様子を示す図である。
【図２Ｂ】干渉成分が低い場合（低速伝送）におけるチャネル除去の様子を示す図である。
【図３】個別チャネルのフレーム構成を示す図である。
【図４】本発明の各実施例に共通のセルラシステムの構成図である。
【図５】本発明による第１の実施例におけるパイロット信号の送信方法を説明するための図である。
【図６】本発明における第２パイロット信号が送信された場合と送信されない場合のＳＩＲ測定値の確率密度分布を示す図である。
【図７】本発明における第１の実施例における移動局の構成を示す図である。
【図８】本発明における第１の実施例における基地局の構成を示す図である。
【図９】本発明における第２の実施例におけるパイロット信号送信方法を説明するための図である。
【図１０】本発明における第２の実施例における移動局の構成を示す図である。
【図１１】本発明における第２の実施例における基地局の構成を示す図である。
【図１２】本発明における第３の実施例におけるパイロット信号送信方法を説明するための図である。
【図１３】差動信号に受信誤りが生じると、基地局が認識している最大伝送速度と移動局の認識している最大伝送速度にずれが生じることを示す図である。
【図１４】本発明における第３の実施例における移動局の構成を示す図である。
【図１５】本発明における第３の実施例に用いられる基地局の構成を示す図である。
【発明を実施するための最良の形態】
【００２５】
以下、本発明の好適実施例の構成および動作を、添付図面を参照して詳細に説明する。ここでは、一例として、ＷＣＤＭＡにおけるＥＵＤＣＨを用いた実施形態について説明する。【００２６】
図４は、本発明の第１〜３の実施例に共通のセルラシステムの構成図を示している。図４に示されるように、移動局１２１は基地局１１１のみと、移動局１２３は基地局１１２のみと、移動局１２２は両方の基地局と接続している。そして、移動局１２１〜１２３は、個別チャネルのデータを送信するためのＤＰＤＣＨ（ＵＬ／ＤＬ）、制御信号を送信するためのＤＰＣＣＨ（ＵＬ／ＤＬ）、並びにＥＵＤＣＨのデータを送信するためのＥ−ＤＰＤＣＨ（ＵＬ）、制御信号を送信するためのＥ−ＤＰＣＣＨ（ＵＬ／ＤＬ）を基地局との間で送受信している。基地局１１１、１１２は基地局制御装置（不図示）に接続されている。基地局制御装置は、移動局と基地局に対して、各移動局に使用を許可する送信形式の組み合わせ（ＴＦＣ：Ｔｒａｎｓｐｏｒｔ  Ｆｏｒｍａｔ  Ｃｏｍｂｉｎａｔｉｏｎ）のセット（ＴＦＣＳ）を通知する。ＴＦＣは、送信間隔（ＴＴＩ：  Ｔｒａｎｓｍｉｓｓｉｏｎ  Ｔｉｍｅ  Ｉｎｔｅｒｖａｌ）に含まれるデータブロックサイズとブロック数等のパラメータを含む。ここで、個別チャネルのＴＴＩは１５スロットとし、ＥＵＤＣＨのＴＴＩは３スロットとする。ＴＦＣに応じてＥＵＤＣＨの伝送速度は異なり、また伝送速度が高くなるほど基地局に与えるノイズライズは高くなる。従って、基地局は、使用を許可する最大ＴＦＣまたは最大伝送速度を制御することにより、基地局におけるノイズライズ変動を制御する。このための制御情報はＥ−ＤＰＣＣＨ（ＵＬ／ＤＬ）にて送受信される。【００２７】
また、基地局並びに移動局は、高速閉ループ型の送信電力制御のためのＴＰＣ（Ｔｒａｎｓｍｉｔ  Ｐｏｗｅｒ  Ｃｏｎｔｒｏｌ）信号をＤＰＣＣＨにて送信する。ＴＰＣ信号は毎スロット送信される２ビットの信号であり、基地局並びに移動局は、パイロット信号の受信ＳＩＲを測定し、目標ＳＩＲよりも高ければ電力減少を指示するＴＰＣ信号を、目標ＳＩＲよりも低ければ電力増加を指示するＴＰＣ信号を送信する。
【実施例１】
【００２８】
第１の実施例について詳細に説明する。【００２９】
図５は、第１の実施例におけるパイロット信号の送信方法を示している。ここでは簡単のため、制御信号としてパイロット信号とＴＦＣＩ信号のみが記述されている。ＤＰＤＣＨ並びにＤＰＣＣＨは連続的に送信される。一方、Ｅ−ＤＰＣＣＨとＥ−ＤＰＤＣＨは間欠的に送信され、Ｅ−ＤＰＣＣＨに含まれる第２パイロット信号は所定の伝送速度閾値以上の場合のみ送信される。ここでは伝送速度閾値が１０２４ｋｂｐｓと設定されている。図中の１つ目（左側）のデータブロックは伝送速度が３８４ｋｂｐｓと伝送速度閾値よりも低いので、第２パイロット信号は送信されない（図中の「ＤＴＸ」は、Ｄｉｓｃｏｎｔｉｎｕｏｕｓ  Ｔｘのことであり、送信オフを意味する）。しかし、それ以降のデータブロックは伝送速度が１０２４ｋｂｐｓであるため第２パイロット信号も送信される。また、第２パイロット信号は、送信される場合、第１パイロット信号と同じ送信電力で送信される。【００３０】
基地局は、第１パイロット信号の受信品質ＳＩＲ１と第２パイロット信号の受信品質ＳＩＲ２を測定し、以下の２つの条件の両方を満たす場合に第２パイロット信号が送信されたと判定する。【００３１】
条件１：ＳＩＲ１が所定の受信品質閾値よりも大きい。【００３２】
条件２：ＳＩＲ１から所定値ΔＳＩＲを引いた値よりもＳＩＲ２が大きい。【００３３】
ここで、受信品質閾値、並びに所定値ΔＳＩＲは、予め基地局に通知されるか、または基地局情報として事前に設定されている。【００３４】
条件１は、以下のような理由で用いられる。図６は、第２パイロット信号が送信された場合と送信されない場合のＳＩＲ測定値の確率密度分布を示している。基地局が、第２パイロット信号のＳＩＲ測定値から第２パイロット信号の有無を検出する際に、以下の２つの検出誤りパターンが生じうる。【００３５】
検出誤り１：第２パイロット信号は送信されたが、基地局は送信されていないと判断する。【００３６】
検出誤り２：第２パイロット信号は送信されなかったが、基地局は送信されたと判断する。【００３７】
検出誤り２が生じると、基地局は、第２パイロット信号を使用してＳＩＲ測定に雑音を加えてしまうので、ＳＩＲ測定の精度が著しく低下し、好ましくない。従って、受信品質閾値は、検出誤り２の生じる確率が検出誤り１の生じる確率よりも小さくなるように設定すればよい。従って、図６における確率Ａが確率Ｂよりも小さくなるように受信品質閾値を設定すればよい。また、第１パイロット信号と第２パイロット信号は同じ電力で送信しているため、第２パイロット信号が送信されている場合は、ＳＩＲ２とＳＩＲ１はほぼ等しい。従って、本実施形態の条件１では、ＳＩＲ１を測定し、ＳＩＲ１が受信品質閾値よりも低い場合は、検出誤り２が生じる確率を低減するため第２パイロット信号は使用しないようにする。【００３８】
条件１を満たしていれば、基地局はＳＩＲ２を測定し、条件２を満たしているか否かを確認する。先に述べたように、第２パイロット信号が送信されている場合はＳＩＲ１とＳＩＲ２はほぼ同じ値となるはずである。従って、基地局は、所定のマージンとしてΔＳＩＲを考慮した式ＳＩＲ２＞ＳＩＲ１−ΔＳＩＲ、すなわち条件２が満たされていれば、第２パイロット信号が送信されていると判断する。ΔＳＩＲは基地局の受信性能やスロット構成などにより決まる設計値でなる。【００３９】
基地局は以上の手順で第２パイロット信号の有無を検出し、第２パイロットが送信されていないと判定した場合には第１パイロット信号のみを用い、第２パイロット信号が送信されたと判定した場合には第１パイロット信号と共に第２パイロット信号も用いて、チャネル推定及び送信電力制御のためのＳＩＲ測定を行う。ＳＩＲ測定は以下のようにして行う。【００４０】
（定義）【００４１】
【数１】
0004967658.tif 000002
：  送信された第１、第２パイロット信号【００４２】
【数２】
0004967658.tif 000003
：  受信された第１、第２パイロット信号【００４３】
【数３】
0004967658.tif 000004
：  第１、第２パイロット信号に加わる干渉成分【００４４】
【数４】
0004967658.tif 000005
：  第１、第２パイロット信号のシンボル数【００４５】
【数５】
0004967658.tif 000006
：  第１パイロット信号のみで推定したチャネル、第１および第２パイロット両方で推定したチャネル【００４６】
【数６】
0004967658.tif 000007
：  第１パイロット信号のみで推定した干渉成分、第１および第２パイロット信号両方で推定した干渉成分
（計算）
以上の定義から、第１パイロット信号のみを用いてＳＩＲを計算する場合は、以下のように求める。【００４７】
【数７】
0004967658.tif 000008
【００４８】
【数８】
0004967658.tif 000009
【００４９】
【数９】
0004967658.tif 000010
一方、第１および第２パイロット信号の両方を用いてＳＩＲを計算する場合は、以下のように求める。【００５０】
【数１０】
0004967658.tif 000011
【００５１】
【数１１】
0004967658.tif 000012
【００５２】
【数１２】
0004967658.tif 000013
【００５３】
図７は、本実施形態に用いられる移動局の構成を示している。【００５４】
図７では、４つのチャネルＤＰＤＣＨ、ＤＰＣＣＨ、Ｅ−ＤＰＣＣＨ、Ｅ−ＤＰＤＣＨで送信するデータの生成から、拡散後の電力制御までの構成が示されている。【００５５】
ＤＰＤＣＨに関しては、ＴＴＩごとに、個別ＣＨデータ（ＤＰＤＣＨ）ブロック生成部２０１が、１ＴＴＩで送信されるデータブロックを生成する。１ＴＴＩで送信されるデータブロックは、上位層からの個別チャネルデータバッファ２０１１内のデータ量からＴＦＣ選択部２０１２がデータの優先度などを考慮して選択したＴＦＣに従って生成される。その後、ＤＰＤＣＨバッファ２０１１は生成したデータブロックを処理部２０１３に送り、符号化、インタリーブ等の処理を施す。処理後のデータブロックは、１スロット分ずつ拡散部２０２に送られる。【００５６】
ＤＰＣＣＨに関しては、スロットごとに、第１パイロット信号生成部２０３が第１パイロット信号を生成し、ＤＰＣＣＨフレーム生成部２０４が、ＴＦＣ選択部２０１２で選択されたＴＦＣＩの情報と共にＤＰＣＣＨの所定フィールドに挿入し、その後、拡散部２０２に送る。Ｅ−ＤＰＤＣＨに関しては、ＴＴＩごとに、ＥＵＤＣＨブロック生成部２０８が、１ＴＴＩで送信されるデータブロックを生成する。１ＴＴＩで送信されるデータブロックは、上位層からのＥ−ＤＰＤＣＨバッファ２０８２内のデータ量から、Ｅ−ＴＦＣ選択部２０８１がデータの優先度や基地局により指定された最大ＴＦＣなどを考慮して選択したＴＦＣに従って生成される。その後、Ｅ−ＤＰＤＣＨバッファ２０８２は生成したデータブロックを処理部２０８３に送り、符号化、インタリーブ等の処理を施す。処理後のデータブロックは、１スロット分ずつ拡散部２０２に送られる。【００５７】
Ｅ−ＤＰＣＣＨに関しては、スロットごとに、第２パイロット信号生成部２０５が第２パイロット信号を生成し、Ｅ−ＤＰＣＣＨフレーム生成部２０７に送る。第２パイロット信号生成部２０５とＥ−ＤＰＣＣＨフレーム生成部２０７の間にはスイッチ２０６がある。Ｅ−ＴＦＣ選択部２０８１は、フレームで使用するＥ−ＴＦＣＩの情報をスイッチ２０６に送る。スイッチ２０６は、Ｅ−ＴＦＣＩから伝送速度を計算し、それが伝送速度閾値である１０２４ｋｂｐｓ以上である場合のみ第２パイロット信号をＥ−ＤＰＣＣＨフレーム生成部２０７に送る。Ｅ−ＤＰＣＣＨフレーム生成部２０７では、第２パイロット信号やＥ−ＴＦＣＩの情報をＥ−ＤＰＣＣＨの所定フィールドに挿入し、拡散部２０２に送る。【００５８】
拡散部２０２は、受取ったデータブロックならびに制御信号フレームの各々を拡散し、送信電力制御部２０９に送る。送信電力制御部は、下り回線で受信されたＴＰＣ信号からＤＰＣＣＨの送信電力を決定し、そのＤＰＣＣＨの電力に所定の電力オフセットを加えて各チャネルの電力を決定する。【００５９】
図８は、第１の実施例に用いられる基地局の構成を示す図である。【００６０】
図８には、逆拡散部３０１より受信処理を行ってから、データを上位層へ送るまでの構成が示されている。【００６１】
まず、逆拡散部３０１は、受信した４つのチャネルＤＰＤＣＨ、ＤＰＣＣＨ、Ｅ−ＤＰＤＣＨ、Ｅ−ＤＰＣＣＨを各々逆拡散する。ＤＰＣＣＨのみに関する制御部は、バッファ３０３、仮チャネル推定部３０４、およびＴＦＣＩ検知部３０８から成る。バッファ３０３は、逆拡散したＤＰＣＣＨを格納する。仮チャネル推定部３０４は、第１パイロット信号を受信しチャネル推定を行う。ＴＦＣＩ検知部３０８は、チャネル推定結果とＤＰＣＣＨのＴＦＣＩフィールドの受信信号からＴＦＣＩを検知する。そして、ＴＦＣＩ検知部３０８は検知したＴＦＣＩ情報をＤＰＤＣＨに関する制御部に属するスイッチ３０７へ送る。【００６２】
Ｅ−ＤＰＣＣＨのみに関する制御部は、Ｅ−ＤＰＣＣＨバッファ３０５およびＥ−ＴＦＣＩ検知部３０９から成る。Ｅ−ＤＰＣＣＨバッファ３０５は、逆拡散したＥ−ＤＰＣＣＨを格納する。Ｅ−ＴＦＣＩ検知部３０９は、仮チャネル推定部３０４が送るチャネル推定結果とＥ−ＴＦＣＩフィールドの受信信号からＥ−ＴＦＣＩを検知する。そして、Ｅ−ＴＦＣＩ検知部３０９は、検知したＥ−ＴＦＣＩ情報をＥ−ＤＰＤＣＨに関する制御部に属するスイッチ３１０へ送る。【００６３】
ＤＰＣＣＨとＥ−ＤＰＣＣＨに共通する制御部は、パイロット検知部３１３、ＳＩＲ測定部３１２、フルチャネル推定部３１５、およびスイッチ３１４から成る。パイロット検知部３１３は、ＤＰＣＣＨバッファ３０３およびＥ−ＤＰＣＣＨバッファ３０５から受信した第１および第２のパイロット信号を用いて第２パイロット信号の有無を検知する。【００６４】
その際、パイロット検知部３１３は、第１パイロット信号で第１ＳＩＲ値を測定し、第２のパイロット信号で第２ＳＩＲ値を測定する。これらを用いて、上述した方法により第２パイロット信号が送信されたか否かを判定する。【００６５】
第２のパイロット信号が送信されなかったと判定した場合、パイロット検知部３１３は、
ＳＩＲ測定部３１２およびフルチャネル推定部３１５へ第２パイロット信号が送られないようスイッチ３１４をオフにする。一方、第２パイロット信号が送信されたと判定した場合は、パイロット検知部３１３は、ＳＩＲ測定部３１２およびフルチャネル推定部３１５へ第２パイロット信号が送られるようスイッチ３１４をオンにする。ＳＩＲ測定部３１２は、送られてくるパイロット信号（第１および第２の両方、あるいは第１のみ）を用いて、上述した方法によりＳＩＲ測定を行い、測定結果を送信電力制御信号生成部３１７へ送る。送信電力制御信号生成部３１７は、その測定結果を目標ＳＩＲと比較し、電力増加または減少を指示するＴＰＣ信号を生成して送信制御部（不図示）へ送る。【００６６】
一方、フルチャネル推定部３１５は、送られてくるパイロット信号（第１および第２の両方、あるいは第１のみ）を用いてチャネル推定を行い、推定結果をＤＰＤＣＨレイク合成部３１１とＥ−ＤＰＤＣＨレイク合成部３１６へ送る。【００６７】
ＤＰＤＣＨのみに関する制御部は、ＤＰＤＣＨバッファ３０２、スイッチ３０７、およびＤＰＤＣＨレイク合成部３１１からなる。ＤＰＤＣＨバッファ３０２は、逆拡散したＤＰＤＣＨを格納する。スイッチ３０７は、ＴＦＣＩ検知部３０８からＴＦＣＩ情報を受け取り、ＴＦＣＩが示すデータサイズが０でない場合に、バッファ３０２内のデータをＤＰＤＣＨレイク合成部３１１へ送る。ＤＰＤＣＨレイク合成部３１１は、フルチャネル推定部３１５から送られるチャネル推定値を用いてＤＰＤＣＨの受信信号の振幅変動を修正し、レイク合成を行い、レイク合成後の信号を上位層（不図示）へ送る。【００６８】
Ｅ−ＤＰＤＣＨのみに関する制御部は、Ｅ−ＤＰＤＣＨバッファ３０６、スイッチ３１０、およびＥ−ＤＰＤＣＨレイク合成部３１６からなる。Ｅ−ＤＰＤＣＨバッファ３０６は、逆拡散したＥ−ＤＰＤＣＨを格納する。スイッチ３１０は、Ｅ−ＴＦＣＩ検知部３０９からＥ−ＴＦＣＩ情報を受け取り、Ｅ−ＴＦＣＩが示すデータサイズが０でない場合に、バッファ３０６内のデータをＥ−ＤＰＤＣＨレイク合成部３１６へ送る。Ｅ−ＤＰＤＣＨレイク合成部３１６は、フルチャネル推定部３１５から送られるチャネル推定値を用いてＥ−ＤＰＤＣＨの受信信号の振幅変動を修正し、レイク合成を行い、レイク合成後の信号を上位層へ送る。【００６９】
以上で説明したように、本実施形態によると、移動局は送信するＥ−ＤＰＤＣＨの伝送速度が所定の伝送速度閾値よりも高い場合に第２パイロット信号を送信する。しかし、基地局は、同ＴＴＩにて送信されるＥ−ＴＦＣＩを全て受信した後でなければ伝送速度を検知できない。【００７０】
そのため、従来はＥ−ＴＦＣＩがＴＴＩ内に分散して送信される場合は、スロット単位でＴＰＣ信号を生成する高速閉ループ型送信電力制御に用いるＳＩＲ測定には第２パイロット信号を使用できなかった。【００７１】
しかし、本実施形態によれば、基地局は、第１パイロット信号で測定した第１ＳＩＲ値と、第２パイロット信号で測定した第２ＳＩＲ値とを比較し、スロット単位で第２パイロット信号の有無を判定するので、第２パイロット信号が存在する場合に第２パイロット信号をも高速閉ループ型送信電力制御のＳＩＲ測定に利用し、送信電力制御の精度を向上させ、チャネルの受信品質を向上させ、スループットを増加させることができる。
【実施例２】
【００７２】
次に、本発明の第２の実施例について詳細に説明する。【００７３】
図９に示すように、移動局は、第２の実施例も第１の実施例と同様に、所定の伝送速度閾値以上の伝送速度でＥ−ＤＰＤＣＨを送信する場合には第２パイロット信号を送信する。【００７４】
ただし、第１の実施例と異なり、第２の実施例における移動局は、第２パイロット信号を送信すると、次のＴＴＩから所定のパイロット信号送信時間の間は伝送速度に関わらず第２パイロット信号を送信する。移動局は、図中の１つ目のデータブロック（３８４ｋｂｐｓのデータブロック）送信時は第２パイロット信号を送信しないが、２つ目のデータブロック（１０２４ｋｂｐｓのデータブロック）送信時には第２パイロット信号を送信し、次のＴＴＩではＥ−ＤＰＤＣＨを送信しないが第２パイロット信号を送信する。【００７５】
また、パイロット信号送信時間は基地局にも予め通知されており、基地局は、Ｅ−ＴＦＣＩを検知し、それが所定の伝送速度以上であれば、そのＴＴＩとその後のパイロット信号送信時間の間は第２パイロット信号が送信されると判断する。従って、基地局は、所定の伝送速度以上のデータブロックと、その後のパイロット信号送信時間の間に受信したデータブロックとについてのチャネル推定に第１および第２パイロット信号を用いる。また、基地局は、所定の伝送速度以上のデータブロックを受信すると、その後パイロット信号送信時間の間は第１および第２パイロット信号を使用して高速閉ループ型送信電力制御用のＳＩＲ測定を行う。【００７６】
以上のように、移動局は、伝送速度閾値以上の伝送速度でデータブロック送信を行う場合に第２パイロット信号を送信し、さらにその後のパイロット信号送信時間は第２パイロット信号を送信するので、基地局は、第２パイロット信号の送信が開始された次のＴＴＩから第２パイロット信号をＳＩＲ測定に利用できる。ファイル転送やウェブ閲覧などパケットがバースト的に発生し、且つパケットサイズが比較的大きいトラフィックでは、一定時間は高速伝送が継続することが多いので、本発明により高速伝送のデータブロック受信時のＳＩＲ測定精度を良好に高めることができる。これにより、送信電力制御の精度が向上してブロック誤り率が低減するためスループットが向上する。【００７７】
図１０は、本実施形態に用いられる移動局の構成を示している。【００７８】
第２の実施例における移動局は、第１の実施例における移動局が備えていなかったカウンタ２１０を備えている。それ以外の構成は、第１の実施例における移動局と同じである。【００７９】
カウンタ２１０は、Ｅ−ＴＦＣ選択部２０８１よりＥ−ＴＦＣＩの情報を受け取り、Ｅ−ＴＦＣＩの示す伝送速度が所定伝送速度閾値（ここでは１０２４ｋｂｐｓ）以上であれば、次のＴＴＩからＴＴＩ数のカウントを開始し、第２パイロット信号がＥ−ＤＰＣＣＨにて送信されるようスイッチ２０６をオンにする。そして、カウンタ２１０は、カウント値が所定のパイロット信号送信時間よりも小さい間はスイッチ２０６をオンにしておく。カウンタ２１０は、カウント値がパイロット信号送信時間に達すると、スイッチ２０６をオフにして第２パイロット信号がＥ−ＤＰＣＣＨで送信されないようにする。また、カウンタ２１０は、Ｅ−ＴＦＣＩで示される伝送速度が伝送速度閾値以上であれば、カウント値をリセットする。【００８０】
図１１は、第２の実施例に用いられる基地局の構成を示す図である。【００８１】
第２の実施例における基地局は、第１の実施例における基地局が備えていたパイロット検知部３１３を備えていない。その代わり、第２の実施例における基地局は、カウンタ３１８を備えている。カウンタ３１８は、Ｅ−ＴＦＣＩ検知部３０９からのＥ−ＴＦＣＩの示す伝送速度が所定の伝送速度閾値（１０２４ｋｂｐｓ）以上であれば、そのＴＴＩで受信された第２パイロット信号がフルチャネル推定部３１５へ送られるようにスイッチ３１４をオンにし、次のＴＴＩからはＳＩＲ測定部３１２並びにフルチャネル推定部３１５に送られるようにスイッチ３１４およびスイッチ３１９の両方をオンにしてカウントを開始する。【００８２】
そして、カウンタ３１８は、カウント値が所定のパイロット信号送信時間以下である間、両スイッチをオンにしておく。また、スイッチがオンである間に与えられたＥ−ＴＦＣＩの示す値が伝送速度閾値以上であれば、カウンタ３１８は、カウント値をリセットし、そのデータブロックの次のＴＴＩから再度カウントを開始する。そしてカウント値がパイロット信号送信時間に達すると、カウンタ３１８は、両スイッチをオフにして次のＴＴＩからの第２パイロット信号をＳＩＲ測定部３１２並びにフルチャネル推定部３１５に送らないようにする。それ以外の制御部に関しては第１の実施例と同様である。【００８３】
尚、本実施形態において、基地局がＥ−ＴＦＣＩを誤って受信すると、第２パイロットが送信されていないにも関わらず、基地局は第２パイロット信号があるものとして雑音のみを合成してしまい、チャネル推定精度並びにＳＩＲ測定精度を劣化させる。このような状態の生じる確率を低減するため、Ｅ−ＴＦＣＩと共にＣＲＣなどの誤り検出符号をＥ−ＤＰＣＣＨにて送信することとしてもよい。これによりＥ−ＴＦＣＩの誤受信の確率が低減され、送信されていない第２パイロット信号の受信信号（従って雑音と干渉成分のみ）を使用してチャネル推定精度およびＳＩＲ測定精度を劣化させる確率が低減される。【００８４】
以上で説明したように、本実施形態によると、移動局は、送信するＥ−ＤＰＤＣＨのデータブロックの伝送速度が所定の伝送速度閾値よりも高ければ第２パイロット信号を送信し、そのデータブロック送信後所定のパイロット信号送信時間は第２パイロット信号を送信する。パイロット送信時間は予め基地局に通知されているため、基地局は伝送速度閾値以上のＥ−ＴＦＣＩを検知したら、その後パイロット信号送信時間の間は第２パイロット信号が送信されると判断できる。従って、基地局は、次のＴＴＩからは第２パイロット信号も使用してＳＩＲ測定を行うことができ、送信電力制御精度を向上させることができる。そのため、ブロック誤り率が低減しスループットが向上する。
【実施例３】
【００８５】
次に、本発明の第３の実施例について詳細に説明する。【００８６】
図１２に示すように、第３の実施例も第１の実施例と同様、移動局は所定の伝送速度閾値に従って第２パイロット信号を送信する。ただし、第１の実施例の場合とは異なり、第３の実施例における移動局は、基地局に指定された最大ＴＦＣによる伝送速度（最大伝送速度）が所定の伝送速度閾値以上の場合に第２パイロット信号を送信する。図では上から３つ目の棒がＥ−ＤＰＤＣＨで実際に送信しているデータブロックとその伝送速度を示している。上から２つ目の棒がＥ−ＤＰＤＣＨに使用が許可された最大伝送速度を示している。ここでは伝送速度閾値を７６８ｋｂｐｓと設定しているため、３８４ｋｂｐｓの最大伝送速度を割当てられた１つ目のＴＴＩでは第２パイロット信号を送信しないが、７６８ｋｂｐｓの最大伝送速度を割当てられた２つ目のＴＴＩではデータブロックは送信しないが第２パイロット信号は送信する。【００８７】
最大ＴＦＣは基地局が割当てるものなので、基地局は第２パイロット信号が送信されるか否かを予め知っている。従って、基地局は、伝送速度閾値以上の最大伝送速度を移動局に割当てた場合、その最大伝送速度が有効である間は第１および第２の両パイロット信号をチャネル推定並びにＳＩＲ測定に用いる。それ以外のとき、基地局は第１パイロット信号のみを用いる。【００８８】
以上のように、基地局が指定する最大伝送速度が伝送速度閾値以上の間は、移動局は第２パイロット信号を送信するため、基地局は第２パイロット信号の送信タイミングを予め知っておくことができる。従って、基地局は、第２パイロット信号を高速閉ループ型送信電力制御のためのＳＩＲ測定に用いることができるので、送信電力制御精度が向上し、ブロック誤り率が低減し、スループットが向上する。【００８９】
また、本実施例において、最大ＴＦＣを差動信号により制御する場合、すなわち基地局が移動局の最大ＴＦＣを現在の値から増加あるいは減少するよう指示する信号を送信して最大ＴＦＣを指定する場合には、移動局が差動信号を誤って受信すると、基地局の認識している最大伝送速度は伝送速度閾値以上であるにも関わらず、移動局で認識している最大伝送速度は伝送速度閾値以下となることがある。この場合、基地局は第２パイロット信号が送信されていると判断し、第２パイロット信号の受信信号を用いてチャネル推定並びにＳＩＲ測定を行うため、雑音を増加させチャネル推定精度およびＳＩＲ測定精度を劣化させる。このような状況を回避するため、基地局の伝送速度閾値（伝送速度閾値１）を、移動局における伝送速度閾値（伝送速度閾値２）よりも大きく設定しておくこととしてもよい。【００９０】
図１３に示すように、差動信号に受信誤りが生じると、基地局が認識している最大伝送速度と、移動局の認識している最大伝送速度とにずれが生じる。このずれよりも伝送速度閾値１と伝送速度閾値２の差が大きければ、第２パイロット信号が送信されていると基地局が認識する場合には、必ず移動局は第２パイロット信号を送信していることになるので、上述のような状態は生じない。【００９１】
図１４は、本実施形態に用いられる移動局の構成を示している。【００９２】
第３の実施例における移動局の構成は第１の実施例における移動局の構成と同様である。しかし、第１の実施例では、Ｅ−ＴＦＣ選択部２０８１は、選択したＥ−ＴＦＣをスイッチ２０６に通知していたのに対し、本実施例ではＥ−ＴＦＣ選択部２０８１は基地局から通知された最大ＴＦＣをスイッチ２０６に通知する。スイッチ２０６は、第１の実施例と同様に、通知されたＥ−ＴＦＣＩ（この場合は最大ＴＦＣを示している）の伝送速度が所定の伝送速度閾値以上の場合は、第２パイロット信号がＥ−ＤＰＣＣＨに挿入されるようオンし、そうでない場合はオフする。それ以外の部分は、第１の実施例における移動局と同じ動作をする。【００９３】
図１５は、第３の実施例に用いられる基地局の構成を示す図である。【００９４】
第３の実施例における基地局は、第２の実施例における基地局が備えていたカウンタ３１８を備えていない。その代わりに、スイッチ３１４には、基地局内の送信制御部３２０から移動局に割当てた最大ＴＦＣの情報が送られる。そして、スイッチ３１４は、最大ＴＦＣの伝送速度が所定の伝送速度閾値以上の場合には、第２パイロット信号がＳＩＲ測定部３１２ならびにフルチャネル推定部３１５に送られるようにオンし、そうでない場合にはオフする。それ以外の部分は、第２の実施例における移動局と同じ動作をする。【００９５】
以上で説明したように、本実施形態によると、移動局は、基地局の割当てる最大ＴＦＣの伝送速度が所定の伝送速度閾値以上の場合は第２パイロット信号を送信する。最大ＴＦＣは基地局により決定されるので、基地局は移動局が第２パイロット信号を送信するタイミングを予め知っている。従って、第２パイロット信号が送信されたとき、基地局は、第２パイロット信号をも使用して送信電力制御用のＳＩＲ測定を行うことができるので、送信電力制御精度が向上し、ブロック誤り率を低減できる。従って、スループットが向上する。
【図１】
0004967658.tif 000014
【図２Ａ】
0004967658.tif 000015
【図２Ｂ】
0004967658.tif 000016
【図３】
0004967658.tif 000017
【図４】
0004967658.tif 000018
【図５】
0004967658.tif 000019
【図６】
0004967658.tif 000020
【図７】
0004967658.tif 000021
【図８】
0004967658.tif 000022
【図９】
0004967658.tif 000023
【図１０】
0004967658.tif 000024
【図１１】
0004967658.tif 000025
【図１２】
0004967658.tif 000026
【図１３】
0004967658.tif 000027
【図１４】
0004967658.tif 000028
【図１５】
0004967658.tif 000029